(57)【特許請求の範囲】
【請求項１】
ラチェット爪が設けられていてシャッタ地板に対して相互の板面が平行となるようにして取り付けられている支持板と、前記シャッタ地板と前記支持板との間においてそれらの板面とは垂直な軸上で回転可能に配置されており撮影時にはその回転によってシャッタ羽根を作動させる駆動部材と、前記シャッタ地板と前記支持板との間において前記駆動部材と同心上で回転可能に配置されており外周面には前記ラチェット爪に係合する複数のラチェット歯を有していて前記支持板と対向する面には回転軸を中心にして等角度間隔で円形状に複数の係合部を有しているラチェット部材と、一端を前記駆動部材に掛け他端を前記ラチェット部材に掛けており撮影時にはその付勢力によって前記駆動部材を回転させる駆動ばねと、を備えていて、前記支持板の板面には、前記ラチェット爪と前記ラチェット歯との係合箇所と対向する面に、調整具を差し込んでその係合関係を変えるための窓部が形成され、前記複数の係合部の少なくとも一つと対向することの可能な面に、調整具を差し込んで該複数の係合部の一つに係合させることの可能なもう一つの窓部が形成されていることを特徴とするカメラ用フォーカルプレンシャッタ。
【請求項２】
前記二つの窓部が、一つの窓部として連続して形成されていることを特徴とする請求項１に記載のカメラ用フォーカルプレンシャッタ。
【発明の詳細な説明】
【０００１】
【発明の属する技術分野】
本発明は、撮影時にシャッタ羽根を作動させる駆動部材が、駆動ばねの付勢力によって回転させられるカメラ用のフォーカルプレンシャッタに関する。
【０００２】
【従来の技術】
最近のフォーカルプレンシャッタには、先羽根（群），後羽根（群）と称されている二つのシャッタ羽根を備えたものと、デジタルカメラ専用に一つのシャッタ羽根だけを備えたものとがある。そして、個々のシャッタ羽根は、シャッタ地板に枢着された二つのアームに対し複数枚の羽根を長手方向に順に枢支した構成をしているが、デジタルカメラに用いられるものの場合は、１枚の羽根だけを枢支したものもある。そして、撮影時においては、それらのシャッタ羽根は、強力な駆動ばねの付勢力によって回転させられる駆動部材によって作動させられる。
【０００３】
このような構成のフォーカルプレンシャッタは、撮影時に、シャッタ羽根が所定の速度で作動するようにするために、製作時，修理時において、上記した駆動ばねの付勢力を調整する必要がある。そこで、そのような調整をし易くするための周知の構成として、上記の駆動ばねを、駆動部材と、その駆動部材と同心上で回転するように配置されているラチェット部材との間に掛け、ラチェット部材を回転させることによってラチェット爪との係合位置を変えるようにしたものがあるが、本発明は、そのような構成を有するフォーカルプレンシャッタに関するものである。
【０００４】
【発明が解決しようとする課題】
ところで、周知のように、上記の駆動部材，ラチェット部材，駆動ばねは、シャッタ地板と、それに対して板面を平行にして取り付けられた支持板との間に配置されている。そして、その支持板にはプリント配線板を重ねて取り付けることが多い。そのため、従来は、駆動ばねの付勢力を調整する場合、シャッタ地板と支持板との間に、シャッタユニットの側方から（光軸とは直交する方向から）ピンセットなどの調整具を差し込んで行っていた。ところが、シャッタユニットをカメラに組み込んだ状態では、その側方位置に他の構成部材が配置されてしまうため、このような調整は行うことができないか、できたとしても極めて困難であった。また、デジタルカメラの場合には、シャッタのセット用モータを上記の側方位置に配置して、シャッタユニットに組付けたものも考えられているが、そのような構成にした場合には、モータを組付けた状態で調整することは不可能であった。
【０００５】
本発明は、このような問題点を解決するためになされたものであり、その目的とするところは、シャッタユニットをカメラに組付けた状態においても、シャッタユニットの構成部材を駆動部材やラチェット部材などの側方位置に配置した状態においても、駆動ばねの付勢力の調整を好適に行えるようにしたカメラ用フォーカルプレンシャッタを提供することである。
【０００６】
【課題を解決するための手段】
上記の目的を達成するために、本発明のカメラ用フォーカルプレンシャッタは、ラチェット爪が設けられていてシャッタ地板に対して相互の板面が平行となるようにして取り付けられている支持板と、前記シャッタ地板と前記支持板との間においてそれらの板面とは垂直な軸上で回転可能に配置されており撮影時にはその回転によってシャッタ羽根を作動させる駆動部材と、前記シャッタ地板と前記支持板との間において前記駆動部材と同心上で回転可能に配置されており外周面には前記ラチェット爪に係合する複数のラチェット歯を有していて前記支持板と対向する面には回転軸を中心にして等角度間隔で円形状に複数の係合部を有しているラチェット部材と、一端を前記駆動部材に掛け他端を前記ラチェット部材に掛けており撮影時にはその付勢力によって前記駆動部材を回転させる駆動ばねと、を備えていて、前記支持板の板面には、前記ラチェット爪と前記ラチェット歯との係合箇所と対向する面に、調整具を差し込んでその係合関係を変えるための窓部が形成され、前記複数の係合部の少なくとも一つと対向することの可能な面に、調整具を差し込んで該複数の係合部の一つに係合させることの可能なもう一つの窓部が形成されているようにする。
【０００７】
また、本発明のカメラ用フォーカルプレンシャッタにおいては、前記二つの窓部が、一つの窓部として連続して形成されているようにしてもよい。
【０００８】
【発明の実施の形態】
本発明の実施の形態を、図１〜図４に示した実施例で説明する。尚、図１は、カメラに組み込まれた状態において被写体側から視たときの左側の部分を示した実施例の平面図であって、露光作動終了直後の状態を示したものである。また、図２は、各構成部材の重なり関係を理解し易くするために、図１の左側方向から視て要部のみを示した側面図であって、一部を破断して示したものである。更に、図３は図１の一部を拡大して示した平面図であり、図４は図１における支持板のみを示した平面図である。
【０００９】
先ず、本実施例の構成から説明するが、その説明にあたっては、被写体側を表面側と称し、結像面側を背面側と称することにする。図１において、シャッタ地板１には、その略中央部に長方形を横長にした開口部１ａが形成されている。しかし、上記したように、図１はシャッタを被写体側から視て左側の部分だけを示したものであるから、その開口部１ａについても、左側の一部だけが示されている。
【００１０】
また、図２から分かるように、シャッタ地板１の背面側には、所定の間隔を空けて、中間板２と補助地板３が順に取り付けられており、シャッタ地板１と中間板２との間に後羽根の羽根室を形成し、中間板２と補助地板３との間に先羽根の羽根室を形成している。そして、中間板２と補助地板３にも、開口部１ａと類似の開口部が形成されていて、通常は、それらの三つの開口部を重ね合わせて露光開口を規制するようにしている。しかし、本実施例においては、開口部１ａの形状が露光開口を規制しているものとして説明する。また、開口部１ａの左側には、円弧状の二つの長孔１ｂ，１ｃと二つの軸受け孔１ｄ，１ｅ（図２参照）が形成されており、それらのうち、長孔１ｂ，１ｃの下方端部には、平面形状がＣ字状をしている周知の緩衝部材４，５が取り付けられている。
【００１１】
シャッタ地板１の表面側には、軸１ｆ，１ｇ，１ｈが立設されていて、背面側には、軸１ｉ，１ｊ（図２参照）が立設されている。そのうち、表面側に立設された軸１ｆ，１ｇ，１ｈの先端部は小径部となっていて、軸１ｆ，１ｇの先端面には、ねじ孔１ｆ1，１ｇ1が形成されている。そして、支持板６とプリント配線板７は、それらに形成された孔を、軸１ｆ，１ｇ，１ｈの小径部に嵌合させ、ねじ孔１ｆ1，１ｇ1にビス８，９（図２参照）を螺合させることによって取付けられている。尚、図１及び図３においては、そのプリント配線板７の外形を一点鎖線で示してある。
【００１２】
上記の支持板６は、比較的薄い金属製の板材で製作されており、その全体形状は、図４に分かり易く示されている。即ち、支持板６には、７個の孔と、１０個の折曲部と、１個の窓部が形成されているが、それらのうち孔６ａ，６ｂ，６ｃは、上記した軸１ｆ，１ｇ，１ｈの小径部に嵌合させる孔である。また、折曲部６ｄ，６ｅ，６ｆ，６ｇは、図１に示した先羽根用電磁石１０を取り付けるためのものであるが、その取付け方は公知であるため、詳しい説明を省略する。そして、その先羽根用電磁石１０は、鉄芯１０ａと、ボビン１０ｂと、コイル１０ｃとで構成されており、コイル１０ｃの端子ピン１０ｃ1，１０ｃ2をプリント配線板７に接続させているが、支持板６に形成された孔６ｈは、その端子ピン１０ｃ2を挿通させるための孔である。
【００１３】
また、折曲部６ｉ，６ｊ，６ｋ，６ｍは、図１及び図３に示した後羽根用電磁石１１を取り付けるためのものである。そして、その取付け方は先羽根用電磁石１０の場合と同じである。また、後羽根用電磁石１１も先羽根用電磁石１０と同じ構成をしていて、鉄芯１１ａと、ボビン１１ｂと、コイル１１ｃとで構成されており、コイル１１ｃの端子ピン１１ｃ1，１１ｃ2をプリント配線板７に接続させている。そして、支持板６に形成された孔６ｎは、その端子ピン１１ｃ2を挿通させるための孔である。
【００１４】
更に、支持板６には、孔６ｐ，６ｑと、折曲部６ｒ，６ｓが形成されている。このうち、孔６ｐ，６ｑは、後述する二つのラチェット部材１２，１３を取り付けるために必要なものである。また、折曲部６ｒ，６ｓは、上記のラチェット部材１２，１３の回転止めを行なうための弾性を有するラチェット爪として形成されたものであり、図２に示されているように、本実施例においては、夫々、二つずつの爪部６ｒ1，６ｒ2、６ｓ1，６ｓ2を有している。尚、本実施例においては、このように、ラチェット爪を支持板６の折曲部６ｒ，６ｓとして形成したが、本発明は、このラチェット爪を別部材として製作し、それを支持板６に取り付けるようにしても差し支えない。
【００１５】
更にまた、支持板６には、窓部６ｔ，６ｕが形成されている。これらの窓部６ｔ，６ｕは、円形をした第１窓部６ｔ1，６ｕ1と円弧状をした第２窓部６ｔ2，６ｕ2とを、それらの一部を重ねるようにして合成したものであるが、このような形状にしてある理由については、具体的に後述する。また、支持板６と重ね合わされているプリント配線板７にも、上記の窓部６ｔ，６ｕと対応する領域に、それらよりも大きな窓部７ａ，７ｂが形成されていて、窓部６ｔ，６ｕの背面側に配置されているラチェット部材１２，１３の一部を直視できるようになっている。尚、符号を付けていないが、プリント配線板７には、支持板６の孔６ｐ，６ｑに対応する領域にも、それらより若干大きな孔が形成されている。
【００１６】
支持板６の孔６ｐ，６ｑに回転可能に取り付けられているラチェット部材１２，１３は、全く同じ形状をしている。即ち、ラチェット部材１２，１３は、図２に示すように、ラチェット輪部１２ａ，１３ａと、軸部１２ｂ，１３ｂとを有している。そして、ラチェット部材１２，１３は、軸部１２ｂ，１３ｂに形成されているねじ孔に、プリント配線板７側から抜け止め防止用のビス１４，１５を螺合させることによって、支持板６に対して回転可能となっている。
【００１７】
また、ラチェット輪部１２ａ，１３ａの外周面には、夫々、ラチェット歯の位相を半ピッチずらせた二つの歯輪１２ａ1，１２ａ2、１３ａ1，１３ａ2が２段に形成されていて、歯輪１２ａ1，１３ａ1には上記の爪部６ｒ1，６ｓ1が係合し、歯輪１２ａ2，１３ａ2には上記の爪部６ｒ2，６ｓ2が係合している。周知のように、このように歯輪を２段に形成したのは、ラチェット車１２，１３の回転止め位置を微細に決定できるようにするためであるが、本発明におけるラチェット部材は、このような構成に限定されるものではなく、歯輪を一つにし、それに伴って上記の爪部を一つにしたものであっても構わない。そして、本実施例の場合は、ラチェット輪部１２ａ，１３ａに対する折曲部６ｒ，６ｓの噛合が、図１に示すように行なわれるため、ラチェット部材１２，１３は反時計方向の回転を阻止されていることになる。
【００１８】
図２から分かるように、このような外形をしたラチェット輪部１２ａ，１３ａの内側には中空部１２ｃ，１３ｃが形成されているが、この中空部１２ｃ，１３ｃは断面が円形であって、後述の説明から分かるように、軸受け用の孔として利用されるものである。また、ラチェット輪部１２ａ，１３ａの内側には、上記の中空部１２ｃ，１３ｃよりも径方向の位置に、スリット形状をした周知のばね掛け部が形成されている。図２においては、ラチェット部材１２のばね掛け部１２ｄだけが示されているが、ラチェット部材１３にも、図面上では現れていないところに、実質的に同じ形状のばね掛け部が形成されている。
【００１９】
更に、支持板６と対向しているラチェット輪部１２ａ，１３ａの各面には、夫々複数の係合部が同様にして形成されているが、図１及び図２においては、図面が見にくくなるため、それらを示していない。しかし、図３は図１のラチェット部材１３を拡大して示しているので、その図３を用いて、ラチェット部材１３の係合部の場合について説明する。ラチェット輪部１３ａに形成されている複数の係合部１３ｄは、ラチェット部材１３の回転軸を中心にして等角度間隔で円形状に配列されている。そして、各係合部１３ｄは全て同じ形状のラチェット歯として形成されており、一方の歯面は反時計方向へ向かうにしたがって高く形成され、もう一方の歯面は回転面に対して垂直に形成されている。そして、それらの一部は、爪部６ｓ1と歯輪１３ａ1との係合状態と共に、窓部６ｕを通して直視できるようになっている。
【００２０】
シャッタ地板１と支持板６との間には、それらの板面に対して垂直な軸上で回転可能となるようにして、先羽根用駆動部材１６と後羽根用駆動部材１７とが配置されている。これらのうち先羽根用駆動部材１６は、合成樹脂製であって、被押動部１６ａと、駆動ピン１６ｂと、取付部１６ｃとを有している。そして、駆動ピン１６ｂは、断面形状が小判型をしており、シャッタ地板１の長孔１ｂを貫通して、先端部がシャッタ地板１の背面側に突き出ている。また、取付部１６ｃの内部には、図示していないばねを介在させて鉄片部材１８が取り付けられているが、その具体的な取付け構成は周知であって、且つ本発明とは直接関係がないので、詳細な説明を省略する。
【００２１】
他方、後羽根用駆動部材１７は、やはり合成樹脂製であって、被押動部としてのローラ１９を取り付けており、また、駆動ピン１７ａと、取付部１７ｂとを有している。そして、駆動ピン１７ａは、断面形状が小判型をしており、シャッタ地板１の長孔１ｃを貫通して、先端部がシャッタ地板１の背面側に突き出ている。また、取付部１７ｂの内部には、図示していないばねを介在させて鉄片部材２０が取り付けられており、その具体的な取付け構成は鉄片部材１８の場合と同じく周知であるから、その説明を省略する。
【００２２】
また、図２から分かるように、これらの駆動部材１６，１７は回転軸を一体的に形成しており、その回転軸の一端の軸部１６ｄ，１７ｃは、シャッタ地板１の軸受け孔１ｄ，１ｅに軸受けされていて、他端の軸部１６ｅ，１７ｄは、ラチェット部材１２，１３の中空部１２ｃ，１３ｃに軸受けされている。そして更に、上記の軸部１６ｄ，１７ｃの先端には、それらよりも直径の小さな軸部１６ｄ1，１７ｃ1が形成されていて、それらをシャッタ地板１の背面側に突き出している。
【００２３】
上記の先羽根用駆動部材１６と後羽根用駆動部材１７は、露光作動時において、先羽根用駆動ばね２１と後羽根用駆動ばね２２の付勢力によって、図１において時計方向へ回転されるようになっている。そして、それらの駆動ばね２１，２２は、そのコイル部を図２に示すようにして各駆動部材の回転軸部に嵌装し、その一端部を上記した取付部１６ｃ，１７ｂの縁に掛け、他端部を上記したラチェット部材１２，１３のばね掛け部（上記したようにばね掛け部１２ｄのみ図示）に掛けている。従って、駆動ばね２１，２２はラチェット部材１２，１３を反時計方向へ回転させるようにも付勢していることになる。
【００２４】
シャッタ地板１の軸１ｈには、合成樹脂製のセット部材２３が回転可能に取り付けられている。このセット部材２３は、図示していない復帰ばねの付勢力によって、被写体側から視て反時計方向へ回転するように付勢されているが、図１の状態は、その回転を図示していないストッパによって阻止されている状態である。以下、セット部材２３のこの位置を初期位置と称することにする。また、このセット部材２３は、押動部２３ａ，２３ｂと、被押動部２３ｃとを有していて、図１において時計方向へ回転したとき、押動部２３ａは先羽根用駆動部材１６の被押動部１６ａを押し、押動部２３ｂは後羽根用駆動部材１７のローラ１９を押すようになっている。
【００２５】
次に、シャッタ地板１の背面側に配置されている先羽根と後羽根の構成を説明するが、本実施例における先羽根と後羽根は、周知の構成をしていて、その構成自体は本発明と直接関係がないので、図面上では一部の構成部材の図示が省略されたり、明示されていなかったりしている。
【００２６】
先ず、先羽根は、中間板２と補助地板３の間に配置されていて、二つのアーム２４，２５と、図示していない複数枚の羽根とで構成されている。そして、アーム２４は先羽根用駆動部材１６の軸部１６ｄ1に回転可能に取り付けられ、アーム２５はシャッタ地板１の軸１ｉに回転可能に取り付けられていて、複数枚の羽根は、それらの長さ方向に順に枢支されており、先端部に枢支された羽根をスリット形成羽根としている。また、先羽根用駆動部材１６の駆動ピン１６ｂは、アーム２４に形成された図示していない孔に嵌合し、複数枚の羽根を作動させるようになっているが、図１においては、それらの羽根が開口部１ａの下方位置に重畳され、格納状態となっている。
【００２７】
他方、後羽根は、シャッタ地板１と中間板２の間に配置されていて、二つのアーム２６，２７と、４枚の羽根２８，２９，３０，３１とで構成されている。また、アーム２６は後羽根用駆動部材１７の軸部１７ｃ1に回転可能に取り付けられ、アーム２７はシャッタ地板１の軸１ｊに回転可能に取り付けられていて、４枚の羽根２８，２９，３０，３１は、それらのアーム２６，２７の長さ方向に順に枢支されている。そして、その先端部に枢支された羽根３１がスリット形成羽根となっている。また、後羽根用駆動部材１７の駆動ピン１７ａは、アーム２６に形成された図示していない孔に嵌合し、４枚の羽根２８，２９，３０，３１を作動させるようになっているが、図１においてはそれらを展開状態にして、開口部１ａを覆った状態にしている。
【００２８】
次に、このようにして構成されている本実施例の作動を説明する。図１は、露光作動終了直後の状態を示している。従って、先羽根用駆動部材１６は先羽根用駆動ばね２１によって時計方向へ回転されていて、駆動ピン１６ｂを緩衝部材４に当接させることにより、この停止状態が維持されている。そして、図示していない先羽根の複数枚の羽根は重畳され、開口部１ａの下方位置に格納されている。また、後羽根用駆動部材１７は、後羽根用駆動ばね２２によって時計方向へ回転され、駆動ピン１７ａを緩衝部材５に当接させて、停止状態が維持されている。そして、後羽根の４枚の歯ね２８，２９，３０，３１は展開されて開口部１ａを覆っている。
【００２９】
この図１の状態から行われるセット作動は、図示していないカメラ本体側の部材がセット部材２３の被押動部２３ｃを押すことによって開始され、それによって、セット部材２３は、図示していない復帰ばねの付勢力に抗して時計方向へ回転させられる。そして、先ず、セット部材２３の押動部２３ａが先羽根用駆動部材１６の被押動部１６ａを押して、先羽根用駆動ばね２１の付勢力に抗して反時計方向へ回転させていく。また、この回転によって、先羽根用駆動部材１６の駆動ピン１６ｂがアーム２４を反時計方向へ回転させ、図示していない先羽根の複数枚の羽根を展開させつつ上方へ移動させていく。その後、先羽根のスリット形成羽根と、後羽根のスリット形成羽根３１との重なり量が所定量に達すると、セット部材２３の押動部２３ｂがローラ１９を押し、後羽根用駆動部材１７を反時計方向へ回転させていく。その結果、駆動ピン１７ａがアーム２６を反時計方向へ回転させ、羽根２８，２９，３０，３１を上方へ重畳させていく。
【００３０】
そして、その後、各駆動部材１６，１７に取り付けられた鉄片部材１８，２０が、両方とも各電磁石１０，１１の鉄芯１０ａ，１１ａに接触した段階で、セット部材２３の回転が停止され、セット作動が終了する。このとき、後羽根の羽根２８，２９，３０，３１は重畳状態となって開口部１ａの上方位置に格納されており、図示していない先羽根の複数枚の羽根は展開状態となって開口部１ａを覆っている。そして、セット部材２３は、次の撮影が行なわれるまで、その状態を維持させられる。
【００３１】
次の撮影に際して、カメラのレリーズボタンが押されると、先ず、各電磁石１０，１１のコイル１０ｃ，１１ｃに通電され、鉄片部材１８，２０が吸着保持される。次に、図示していないカメラ本体側の部材が、セット部材２３の被押動部２３ｃに対する押圧力を解いていくので、セット部材２３は、図示していない復帰ばねの付勢力によって反時計方向へ回転され、初期位置へ復帰する。その後、最初に先羽根用電磁石１０のコイル１０ｃに対する通電が断たれ、所定時間後に後羽根用電磁石１１のコイル１１ｃに対する通電が断たれる。
【００３２】
そのため、先羽根用駆動部材１６と後羽根用駆動部材１７が、先羽根用駆動ばね２１と後羽根用駆動ばね２２の付勢力によって相次いで急速に時計方向へ回転させられ、各駆動ピン１６ｂ，１７ａによって各アーム２４，２６を時計方向へ回転させるので、図示していない先羽根のスリット形成羽根と後羽根のスリット形成羽根３１とで形成されるスリットにより、結像面の露光が行なわれる。そして、露光作動を先に開始した先羽根用駆動部材１６は、その駆動ピン１６ｂが緩衝部材４に当接して停止し、先羽根の複数枚の羽根は、重畳されて開口部１ａの下方位置に格納状態となる。他方、遅れて露光作動を開始した後羽根用駆動部材１７は、後羽根の４枚の羽根２８，２９，３０，３１が開口部１ａを完全に覆った段階に、その駆動ピン１７ａが緩衝部材５に当接して停止する。このようにして露光作動の終了した状態が、図１に示された状態である。
【００３３】
ところで、言うまでもないことであるが、撮影時におけるシャッタ羽根の作動速度が正確に管理されていないと、所定の露光時間を得ることができなくなるし、露光むらを生じてしまうこともある。そのため、従来は、製作時や修理時において、図１の左側から支持板６の背後に調整具などを差し込んでラチェット部材１２，１３を回転させ、駆動ばね２１，２２の付勢力を調整していた。ところが、図３に二点鎖線で示したように、その左側の位置に、モータＭが取り付けられた場合などは、そのモータＭを取り外さなければ調整することができなかった。また、カメラに組み込まれているときにその位置に他の構成部材が取り付けられている場合は、その構成部材を外すか、シャッタユニットをカメラ本体から取り外さない限り調整することができなかった。
【００３４】
ところが、本実施例の場合には、上記のいずれの場合にも、支持板６の窓部６ｔ，６ｕから調整具を差し込み、ラチェット部材１２，１３と折曲部６ｒ，６ｓとの係合状態を肉眼で確認しながら容易に調整することが可能である。そこで、その調整の仕方を、図３を用い、後羽根用駆動ばね２２の付勢力を調整する場合で説明する。既に説明したように、後羽根用駆動ばね２２は、ラチェット部材１３を反時計方向へ回転させるように付勢している。そして、その回転を、図３においては、折曲部６ｓの爪部６ｓ1がラチェット部材１３の歯輪１３ａ1に係合して阻止している。従って、各歯を半ピッチずらせて形成されている歯輪１３ａ2は、爪部６ｓ2に係合していない。
【００３５】
そこで、先ず、後羽根用駆動ばね２２の付勢力を小さくする場合は、窓部６ｕ1に調整具を差し込んで、爪部６ｓ1を押して撓ませ、歯輪１３ａ1から外す。それによって、ラチェット部材１３は反時計方向へ回転させられるが、歯輪１３ａ2が爪部６ｓ2に係合することによって直ちに停止させられる。更に、付勢力を小さくしたいときは、今度は、爪部６ｓ2を押して撓ませ歯輪１３ａ2から外すと、ラチェット部材１３は更に反時計方向へ回転させられ、歯輪１３ａ1が爪部６ｓ1に係合して停止させられる。また、半ピッチ分だけではなく、それ以上に回転させたい場合には、予め第２の調整具を、窓部６ｕ1に差し込んで爪部６ｓ1と係合していない歯輪１３ａ1の歯を係止しておくか、窓部６ｕ2に差し込んで係合部１３ｄを係止しておいてから、上記のようにして第１の調整具を窓部６ｕ1に差し込んで爪部６ｓ1，６ｓ2の両方を押して撓ませ、歯輪１３ａ1，１３ａ2から外す。そして、外した後は、所定の歯が係合するところまでラチェット部材１３を徐々に回転させていくようにすればよい。そして、このような方法は、歯輪と爪部が一つずつしか設けられていない場合にも用いられる。
【００３６】
次に、後羽根用駆動ばね２２の付勢力を大きくする場合は、窓部６ｕ1に調整具を差し込んで、係止されていない歯輪１３ａ1の歯を押すか、窓部６ｕ2に調整具を差し込んで係合部１３ｄを押すかして、歯輪１３ａ1又は歯輪１３ａ2の所定の歯が爪部６ｓ1又は爪部６ｓ2に係止され得るところまで、ラチェット部材１３を時計方向へ回転させ、その後に調整具を静かに引き抜けばよい。そして、この方法は、歯輪と爪部が一つずつしか設けられていない場合も同じである。
【００３７】
このような説明からも分かるように、係合部１３ｄが形成されていなくても、所期の調整を行なうことが可能であるが、形成しておいたほうが操作ミスは少なくなる。また、係合部１３ｄを形成する場合は、特にラチェット歯である必要はなく、凹部であっても孔であっても差し支えない。更に、係合部１３ｄを設ける場合には、窓部６ｕを二つに分け、一方は、折曲部６ｓとラチェット部材１３とが係合している位置に対応させて形成する必要があるが、他方は、係合部１３ｄの配列されている円周上であればどこに形成しても差し支えない。更にまた、窓部６ｕは、完全な孔として形成されているのではなく、外周の一部を開放した切欠き部として形成されていても差し支えない。そして、これらのことは、先羽根用駆動ばね２１を調整するための構成にも言えることは勿論である。
【００３８】
尚、本実施例においては、各駆動部材１６，１７が、一方の軸部１６ｄ，１７ｃをシャッタ地板１に軸受けされ、他方の軸部１６ｅ，１７ｄをラチェット部材１２，１３に軸受けされて回転可能となっているが、本発明は、このような構成に限定されず、セット部材２３の場合と同様に、シャッタ地板１に立設された軸に対して回転可能に取り付けたものにも適用することが可能である。そして、その場合は、ラチェット部材１２，１３を支持板６に取り付けず、その軸に対して回転可能に嵌合させただけの構成にしてあっても差し支えない。
【００３９】
また、本実施例は、先羽根と後羽根との二つのシャッタ羽根を備えたフォーカルプレンシャッタであるため、二つの駆動ばねを同じようにして調整できるように構成したが、シャッタユニットの全体構成やカメラへの組付け状態によっては必ずしも同じにする必要はなく、一方を本実施例のように構成して調整し、他方は従来と同様にして調整するようにしても差し支えない。また、本実施例においては、プリント配線板にも、支持板の窓部と対応する領域に窓部を形成しているが、支持板の窓部の上にはプリント配線板を重ねない場合もあるので、本発明にとっては、プリント配線板に窓部が形成されていることは必須でなく、プリント配線板が存在すること自体も必須ではない。
【００４０】
更に、本実施例は、露光作動開始位置で駆動部材に設けられた鉄片部材が直接電磁石によって吸着保持される、ダイレクトタイプと称されているフォーカルプレンシャッタの場合で説明したが、露光作動開始位置で駆動部材が係止部材に係止されていて、電磁石によって作動させられた部材がその係止を解除するようにした、係止タイプと称されているフォーカルプレンシャッタにも適用することが可能である。また、一つのシャッタ羽根しか備えていないデジタルカメラ用のフォーカルプレンシャッタにも適用できることは言うまでもない。
【００４１】
【発明の効果】
以上のように、本発明のフォーカルプレンシャッタによれば、光軸と略平行に調整具を差し込んで駆動ばねの付勢力を直視しながら調整することができるので、ラチェット部材の側方位置においてシャッタユニットにモータなどの他の部材を取り付けた場合でも容易に調整をすることができるし、また、カメラに組み込んだ状態においても容易に調整をすることができるというメリットがある。
【図面の簡単な説明】
【図１】被写体側から視た場合の左側の部分を示した実施例の平面図であって、露光作動終了直後の状態を示したものである。
【図２】各構成部材の重なり関係を理解し易くするために、図１の左側方向から視て要部のみを示した側面図であって、一部を破断して示したものである。
【図３】図１の一部を拡大して示した平面図である。
【図４】図１における支持板のみを示した平面図である。
【符号の説明】
１                            シャッタ地板
１ａ                          開口部
１ｂ，１ｃ                    長孔
１ｄ，１ｅ                    軸受け孔
１ｆ，１ｇ，１ｈ，１ｉ，１ｊ  軸
１ｆ1，１ｇ1                      ねじ孔
２                            中間板
３                            補助地板
４，５                        緩衝部材
６                            支持板
６ａ，６ｂ，６ｃ，６ｈ，６ｎ，６ｐ，６ｑ  孔
６ｄ，６ｅ，６ｆ，６ｇ，６ｉ，６ｊ，６ｋ，６ｍ，６ｒ，６ｓ  折曲部
６ｒ1，６ｒ2，６ｓ1，６ｓ2     爪部
６ｔ，６ｕ，７ａ，７ｂ        窓部
６ｔ1，６ｕ1                   第１窓部
６ｔ2，６ｕ2                   第２窓部
７                            プリント配線板
８，９，１４，１５            ビス
１０                          先羽根用電磁石
１０ａ，１１ａ                鉄芯
１０ｂ，１１ｂ                ボビン
１０ｃ，１１ｃ                コイル
１０ｃ1，１０ｃ2，１１ｃ1，１１ｃ2  端子ピン
１２，１３                    ラチェット部材
１２ａ，１３ａ                ラチェット輪部
１２ａ1，１２ａ2，１３ａ1，１３ａ2  歯輪
１２ｂ，１３ｂ，１６ｄ，１６ｄ1，１７ｃ，１７ｃ1  軸部
１２ｃ，１３ｃ                中空部
１２ｄ                        ばね掛け部
１３ｄ                        係合部
１６                          先羽根用駆動部材
１６ａ，２３ｃ                被押動部
１６ｂ，１７ａ                駆動ピン
１６ｃ，１７ｂ                取付部
１７                          後羽根用駆動部材
１８，２０                    鉄片部材
１９                          ローラ
２１                          先羽根用駆動ばね
２２                          後羽根用駆動ばね
２３                          セット部材
２３ａ，２３ｂ                押動部
２４，２５，２６，２７        アーム
２８，２９，３０，３１        羽根
【図１】
0004906200.tif 000002
【図２】
0004906200.tif 000003
【図３】
0004906200.tif 000004
【図４】
0004906200.tif 000005